(57)【要約】      （修正有）【課題】必要な濃度のオゾンを含有する石鹸泡を必要な速度で必要な量だけ発生させることの可能な石鹸泡生成器を提供する。【解決手段】空気ポンプ１、オゾン発生器２及び散気管もしくは多孔質板１４を備えた石鹸泡発生容器５を組み合わせる。高濃度のオゾン含有石鹸泡を必要とする場合には空気ポンプ１の代わりに酸素濃縮器を用いてオゾンを生成する。特に石鹸液貯留槽１５を設け、そこから石鹸液を石鹸泡発生容器５に自動的に供給する構造とする。【選択図】図６
0003136370.tif 000002
【実用新案登録請求の範囲】
【請求項１】
空気ポンプ１、オゾン発生器２、下記(Ａ)、（Ｂ）の構成及び（Ｃ）の使用方法による石鹸泡発生容器５を備え、それらを前記順序にて配管で結合し、空気ポンプ１から空気をオゾン発生器２に送り、オゾン発生器２にて生成されたオゾン含有気体を石鹸泡発生容器５に送り、オゾンを含有した石鹸泡９を発生させる装置。
（Ａ）外面にオゾン含有気体導入口１３、石鹸液注入口８及び石鹸泡放出管７を有し、且つ密閉性のある容器５である。
（Ｂ）前記（Ａ）の容器内に散気管３を備え、その散気管３は前記オゾン含有気体導入口１３に接続されている。
（Ｃ）前記（Ａ）の石鹸液注入口８より石鹸液４を前記（Ａ）の容器内に散気管３が石鹸液４に浸漬するまで満たし、オゾン含有気体の注入口１３よりオゾン含有気体を散気管３に送り、気泡を発生させ、石鹸泡を容器５内に満たし、石鹸泡放出管７より外部に排出する。
【請求項２】
空気ポンプ１、流量調節弁１０、オゾン発生器２、下記(Ａ)、（Ｂ）の構成及び（Ｃ）の使用方法による石鹸泡発生容器５を備え、それらを前記順序にて配管で結合し、空気ポンプ１からの空気を流量調節弁１０により流量を調節してオゾン発生器２に送り、オゾン発生器２にて生成されたオゾン含有気体を石鹸泡発生容器５に送り、オゾンを含有した石鹸泡９を発生させる装置。
（Ａ）外面にオゾン含有気体導入口１３、石鹸液注入口８及び石鹸泡放出管７を有し、且つ密閉性のある容器５である。
（Ｂ）前記（Ａ）の容器内に散気管３を備え、その散気管３は前記オゾン含有気体導入口１３に接続されている。
（Ｃ）前記（Ａ）の石鹸液注入口８より石鹸液４を前記（Ａ）の容器内に散気管３が石鹸液４に浸漬するまで満たし、オゾン含有気体の注入口１３よりオゾン含有気体を散気管３に送り、気泡を発生させ、石鹸泡を容器５内に満たし、石鹸泡放出管７より外部に排出する。
【請求項３】
空気ポンプ１、流量調節弁１０、オゾン発生器２、下記(Ａ)、（Ｂ）の構成及び（Ｃ）の使用方法による石鹸泡発生容器５を備え、それらを前記順序にて配管で結合し、空気ポンプ１からの空気を流量調節弁１０により流量を調節してオゾン発生器２に送り、オゾン発生器２にて生成されたオゾン含有気体を石鹸泡発生容器５に送り、オゾンを含有した石鹸泡９を発生させる装置であって、前記構成要素の全てをひとつのボックス１１内に収納した装置。
（Ａ）外面にオゾン含有気体導入口１３、石鹸液注入口８及び石鹸泡放出管７を有し、且つ密閉性のある容器５である。
（Ｂ）前記（Ａ）の容器内に散気管３を備え、その散気管３は前記オゾン含有気体導入口１３に接続されている。
（Ｃ）前記（Ａ）の石鹸液注入口８より石鹸液４を前記（Ａ）の容器内に散気管３が石鹸液４に浸漬するまで満たし、オゾン含有気体の注入口１３よりオゾン含有気体を散気管３に送り、気泡を発生させ、石鹸泡を容器５内に満たし、石鹸泡放出管７より外部に排出する。
【請求項４】
酸素濃縮器１２、オゾン発生器２、下記(Ａ)、（Ｂ）の構成及び（Ｃ）の使用方法による石鹸泡発生容器５を備え、それらを前記順序にて配管で結合し、酸素濃縮器１２から酸素をオゾン発生器２に送り、オゾン発生器２にて生成されたオゾン含有酸素を石鹸泡発生容器５に送り、オゾンを含有した石鹸泡９を発生させる装置。
（Ａ）外面にオゾン含有気体導入口１３、石鹸液注入口８及び石鹸泡放出管７を有し、且つ密閉性のある容器５である。
（Ｂ）前記（Ａ）の容器内に散気管３を備え、その散気管３は前記オゾン含有気体導入口１３に接続されている。
（Ｃ）前記（Ａ）の石鹸液注入口８より石鹸液４を前記（Ａ）の容器内に散気管３が石鹸液４に浸漬するまで満たし、オゾン含有気体の注入口１３よりオゾン含有気体を散気管３に送り、気泡を発生させ、石鹸泡を容器５内に満たし、石鹸泡放出管７より外部に排出する。
【請求項５】
空気ポンプ１、オゾン発生器２、下記(Ａ)、（Ｂ）の構成及び（Ｃ）の使用方法による石鹸泡発生容器５を備え、それらを前記順序にて配管で結合し、空気ポンプ１から空気もしくは酸素をオゾン発生器２に送り、オゾン発生器２にて生成されたオゾン含有気体を石鹸泡発生容器５に送り、オゾンを含有した石鹸泡９を発生させる装置。
（Ａ）外面にオゾン含有気体導入口１３、石鹸液の注入口８及び石鹸泡放出管７を有し、且つ密閉性のある筒状容器５である。
（Ｂ）前記（Ａ）の筒状容器５はその軸を垂直に配置され、その内部に水平に配置され筒状容器５内を下部及び上部に隔てる多孔質板１４を備え、前記（Ａ）のオゾン含有気体の導入口１３は前記多孔質板の下側に、また前記石鹸液の注入口８は前記多孔質板１４の上側に接続されている。
（Ｃ）前記（Ａ）の石鹸液注入口８より石鹸液を前記（Ｂ）の板の上側に注入し、オゾン含有気体の導入口１３よりオゾン含有気体を前記多孔質板１４の下部に送り、前記多孔質板１４の上部の石鹸液中に石鹸泡を発生させ、その石鹸泡を容器内に満たし、石鹸泡放出管より外部に排出する。
【請求項６】
空気ポンプ１、オゾン発生器２、下記(Ａ)、（Ｂ）、（Ｃ）の構成及び（Ｄ）の使用方法による石鹸泡発生容器５、石鹸液移送弁１７及び密閉性のある石鹸液貯留槽１５を備え、それらを前記順序にて配管で結合し、空気ポンプ１から空気をオゾン発生器２に送り、オゾン発生器２にて生成されたオゾン含有気体を石鹸泡発生容器５に送り、オゾンを含有した石鹸泡９を発生させる装置。
（Ａ）その外面にオゾン含有気体導入口１３、石鹸液導入口１８及び石鹸泡放出管７を有し、且つ密閉性のある筒状容器５である。
（Ｂ）前記（Ａ）の筒状容器５はその軸を垂直に配置され、その内部に水平におかれ筒状容器５内を下部及び上部に隔てる多孔質板１４を備え、前記（Ａ）のオゾン含有気体導入口１３は前記多孔質板１４の下側に、また前記石鹸液注入口１８は前記多孔質板１４の上側に接続されている。
（Ｃ）前記石鹸液貯留槽１５は石鹸液移送弁１７を介して前記（Ａ）の石鹸液導入口１８に結合されている。
（Ｄ）石鹸泡の発生に先立って石鹸液貯留槽１５に石鹸液を充填し、石鹸液注入口キャップ１９を閉じ、石鹸液移送弁１７を開放することにより前記（Ａ）の石鹸液導入口１８の高さまで石鹸液を満たした後、オゾン含有気体導入口１３よりオゾン含有気体を前記多孔質板１４の下部に送り、前記多孔質板１４の上部の石鹸液中に石鹸泡を発生させ、その石鹸泡を容器内に満たし、石鹸泡放出管より外部に排出する。
【考案の詳細な説明】
【技術分野】
【０００１】
本考案は、手洗い、洗顔、洗濯、食器洗浄、床洗浄等に使用される石鹸泡の生成器に関るものである。
【背景技術】
【０００２】
オゾンは殺菌作用、漂白作用があり特にオゾンを水に溶解したオゾン水は手洗い、洗濯、食器洗浄、床洗浄、食品殺菌、半導体洗浄等に使用されている。
【０００３】
しかし、オゾンは人体に有害性があるため、使用に当ってはオゾン濃度を人体に無害な程度に低くするかもしくはオゾンに対する防護処置を十分に備えた上で使用する必要がある。
【０００４】
一方オゾンを含む気体で石鹸泡を作ると石鹸泡がオゾンを包み込むために、人体に対するオゾンが接触するのを回避できる。
既にオゾンを含む石鹸泡で洗顔するための機器も開発されている。（特許文献１参照）
【０００５】
オゾンを含む石鹸泡の用途は洗顔の他、手洗い、人間や動物の身体の洗浄、食器洗浄、トイレの洗浄、食品工場や畜産場での床や壁の殺菌、脱臭、洗浄等広範囲の可能性があるが、石鹸泡の発生速度をそれぞれの用途に応じて設定する必要がある。
【特許文献１】実用新案登録第３１３３３３２号（Ｕ３１３３３３２）
【考案の開示】
【考案が解決しようとする課題】
【０００６】
本考案は必要な濃度のオゾンを含有する石鹸泡を必要な速度で必要な量だけ発生させることの可能な石鹸泡生成器の実現を課題とする。
【課題を解決するための手段】
【０００７】
本考案は上記の課題を解決するために、空気ポンプ１、オゾン発生器２及び散気管３を備えた石鹸泡発生容器５を組み合わせる。(請求項１、図１）
【０００８】
特に空気ポンプの出口に流量調節弁１０を備えて石鹸泡の発生速度を調節できるようにする。(請求項２、図２）
【０００９】
また使用上の便宜のために上述の機能をひとつのボックス１１の中に備えたものとする。(請求項３、図３）
【００１０】
特に高濃度のオゾン含有石鹸泡を必要とする場合には空気ポンプの代わりに酸素濃縮器１２を用いてオゾンを生成する。(請求項４、図４）
【００１１】
特に石鹸液が無駄なく使えるように石鹸泡発生容器に多孔質板１４を用いた構造とする。(請求項５、図５）
【００１２】
また必要な量の石鹸液を貯留可能な容量の石鹸液貯留槽１５を設け、そこから石鹸液を石鹸泡発生容器５に自動的に供給する構造とする。(請求項６、図６）
【考案の効果】
【００１３】
本考案の請求項１（図１）によれば空気ポンプ１の容量、オゾン発生器２の規模、石鹸泡生成容器５の容量を選定することで用途に応じて適切なオゾン濃度のオゾンを含有する石鹸泡を適切な速度で発生させることが出来る。
【００１４】
請求項２（図２）よれば流量調節弁１０の開閉度を調節することで石鹸泡の生成速度を調節可能である。
【００１５】
請求項３（図３）によれば一体型のボックスに収納された一体型の装置により容易に必要な場所に運搬して石鹸泡が生成可能である。
【００１６】
請求項４（図４）によれば酸素原料による高濃度のオゾンを含有する石鹸泡が生成可能である。
【００１７】
請求項５（図５）によれば石鹸液を殆ど残すことなく石鹸泡とすることが可能である。
【００１８】
請求項６（図６）によれば石鹸液を自動的に石鹸泡発生容器に供給可能である。
【考案を実施するための最良の形態】
【００１９】
本考案の実施の形態を図１〜図４により説明する。
構造：図１、図２、図３、図４、図５、図６はそれぞれ本考案の請求項１、２、３、４、５，６に記載する装置の構成を示す図である。これらの形態をそれぞれ形態１、形態２、形態３、形態４、形態５、形態６とする。
【００２０】
形態１：図１に示すように空気ポンプ１、オゾン発生器２、石鹸泡発生容器５を備え、それらを前記順序にて配管で結合し、空気ポンプ１から空気をオゾン発生器２に送り、オゾン発生器２にて生成されたオゾン含有気体を石鹸泡発生容器５内の石鹸液４の中に浸漬された散気管３に送り、石鹸泡６を発生させて石鹸泡発生容器５内に満たし、石鹸泡放出管７より外部に放出する。
【００２１】
形態２：図２に示すように空気ポンプ１、流量調節弁１０、オゾン発生器２、石鹸泡発生容器５を備え、それらを前記順序にて配管で結合し、空気ポンプ１からの空気流量を流量調節弁１０にて調節して、オゾン発生器２に送り、オゾン発生器２にて生成されたオゾン含有気体を石鹸泡発生容器５内の石鹸液４の中に浸漬された散気管３に送り、石鹸泡６を発生させて石鹸泡発生容器５内に満たし、石鹸泡放出管７より外部に放出する。
【００２２】
形態３：図３に示すように形態２に含まれる機器をひとつのボックス１１内に収納している。
【００２３】
形態４：形態１において空気ポンプ１を酸素濃縮器１２に置き換えた構成である。
【００２４】
形態５：形態１と同様の機器構成であるが石鹸液発生容器５の構造が形態１と異なっている。図５において特に石鹸泡発生容器５は筒状であり、その内部の中間部に多孔質板１４を配置し、その多孔質板１４の上部に石鹸液を満たし、下部からオゾン含有気体を注入して石鹸泡を発生させ石鹸泡放出管７より外部に放出する。このような構造は形態１のように散気管を用いた場合に比して石鹸液を殆ど残さずに使い切ることが出来るという利点を有する。
【００２５】
形態６：形態５に石鹸液貯留槽１５を附加して、石鹸泡発生容器５に石鹸液が少なくなると石鹸液貯留槽から自動的に石鹸液が供給される構造としている。
【００２６】
すなわちオゾン含有気泡発生の開始前に石鹸液貯留槽１５に石鹸液を充填し、石鹸液注入口キャップ１９を閉じ、石鹸液移送弁１７を開放することにより前記（Ａ）の石鹸液導入口１８の高さまで石鹸液が満たされる。石鹸泡を発生すると石鹸泡発生容器内の石鹸液の液面位が下がり、石鹸液導入口１８から空気が石鹸液貯留槽に入り、その体積の分の石鹸液が石鹸泡発生容器内に流入し、石鹸水導入口１８の高さまで石鹸液の液面位が上昇する。これが繰り返されるために石鹸液貯留槽内に石鹸液がなくなるまで石鹸液発生容器内の石鹸液の液面位がほぼ一定に保持される。
【産業上の利用可能性】
【００２７】
本考案による装置はオゾンを含有する石鹸泡を手洗い、人間や動物の身体の洗浄、食器洗浄、トイレの洗浄、食品工場や畜産場での床や壁の殺菌、脱臭、洗浄等に利用可能である。
【図面の簡単な説明】
【００２８】
【図１】形態１（請求項１に関る形態）のオゾンを含有する石鹸泡の生成装置の構成を示す。
【図２】形態２（請求項２に関る形態）のオゾンを含有する石鹸泡の生成装置の構成を示す。
【図３】形態３（請求項３に関る形態）のオゾンを含有する石鹸泡の生成装置の構成を示す。
【図４】形態４（請求項４に関る形態）のオゾンを含有する石鹸泡の生成装置の構成を示す。
【図５】形態５（請求項５に関る形態）のオゾンを含有する石鹸泡の生成装置の構成を示す。
【図６】形態６（請求項６に関る形態）のオゾンを含有する石鹸泡の生成装置の構成を示す。
【符号の説明】
【００２９】
１ 空気ポンプ
２ オゾン発生器
３ 散気管
４ 石鹸液
５ 石鹸泡生成容器
６ 石鹸泡
７ 石鹸泡放出管
８ 石鹸液注入口
９ 放出された石鹸泡
１０ 空気流量調節弁
１１ オゾン含有石鹸泡生成器ボックス
１２ 酸素濃縮器
１３ オゾン含有気体導入口
１４ 多孔質板
１５ 石鹸液貯留槽
１６ 石鹸液輸送管
１７ 石鹸液移送弁
１８ 石鹸液導入口
１９ 石鹸液注入口キャップ
【図１】
0003136370.tif 000003
【図２】
0003136370.tif 000004
【図３】
0003136370.tif 000005
【図４】
0003136370.tif 000006
【図５】
0003136370.tif 000007
【図６】
0003136370.tif 000008